(57)【要約】  自由端を留め付けるように構成された手段を備えるベルト１、２０、３０、ストラップ、又は同様の物品が記載され、そのような手段は、ベルト、ストラップ、又は同様の物品の自由端に適用される。物品は、衣類用ベルト、靴用ストラップ、及び時計、コスチューム宝飾品、又は宝飾品ブレスレットのための革製品全般とすることができ、過剰な部分を留め付けることが必要なすべての事例に適用可能であり、自由端を留め付けるように構成された手段は、ベルト１、２０、３０の自由端１ａ、２０ａ、３０ａを、それを着用する人の身体に付着するベルト１、２０、３０の部分１ｂ、２０ｂ、３０ｂに接続するように構成された、ベルト１、２０、３０の穴１ｃ、２０ｃ、３０ｃに付けられる保持装置３、３２を備え、この保持装置３、３２は、ベルト１、２０、３０の付着部分１ｂ、２０ｂ、３０ｂに引っかかるように構成された第１の手段と、ベルト１、２０、３０の自由端１ａ、２０ａ、３０ａに引っかかるように構成された第２の手段とを備える。
2020528326.tif 000002
【特許請求の範囲】
【請求項１】
ベルト（１、２０、３０）又はストラップであって、前記ベルト（１、２０、３０）又はストラップの自由端（１ａ、２０ａ、３０ａ）を、前記ベルト又はストラップを着用する人の身体に付着した状態に保つように構成された手段を備え、
前記手段は、バックル（２、２１、３１）によって引っ張られた前記ベルト（１、２０、３０）の部分（１ｂ、２０ｂ、３０ｂ）に、前記自由端（１ａ、２０ａ、３０ａ）を引っかけるように構成された保持装置（３、３２）を備え、前記保持装置（３、３２）は、
前記保持装置（３、３２）を前記ベルト（１、２０、３０）の第１の部分に接続するように構成された第１の手段と、
前記保持装置（３、３２）を前記ベルト（１、２０、３０）の第２の部分に引っかけるように構成された第２の手段と
を備えることを特徴とする、ベルト（１、２０、３０）又はストラップ。
【請求項２】
前記保持装置（３、３２）を前記ベルト（１、２０、３０）の前記第１の部分に接続するように構成された前記第１の手段は、要素（８、４６）にねじ込まれるねじ（７、４５）を備え、前記要素（８、４６）は、前記ベルト（１、２０、３０）の前記第１の部分の穴（１ｃ、２０ｃ、３０ｃ）のうちの１つに挿入されることを特徴とする、請求項１に記載のベルト（１、２０、３０）又はストラップ。
【請求項３】
前記保持装置（３２）を前記ベルト（３０）の前記第１の部分に接続するように構成された前記第１の手段は、前記ベルト（３０）の前記第１の部分の上側縁部に留め付けられるフック状に曲げられた第１の上側固定端部（４）をさらに備えることを特徴とする、請求項１に記載のベルト（３０）又はストラップ。
【請求項４】
前記要素（８、４６）は、ねじ切りされたブラインド・ブッシュであり、フランジ（８ａ、４６ａ）を備えており、これは、その円筒部分（８ｂ、４６ｂ）で、前記ベルト（１）の前記穴（１ｃ、２０ｃ、３０ｃ）に挿入され、前記ベルト（１、２０、３０）の前記第１の部分は、前記フランジ（８ａ、４６ａ）と前記ねじ（７、４５）との間にブロックされた状態で残ることを特徴とする、請求項２に記載のベルト（１、２０、３０）又はストラップ。
【請求項５】
前記ねじ（７、４５）又は前記ブッシュ（８、４６）は、前記保持要素（３、３２）の本体と一体であることを特徴とする、請求項２又は３に記載のベルト（１、２０、３０）又はストラップ。
【請求項６】
前記保持装置（３）を前記ベルト（１、２０）の前記第２の部分に引っかけるように構成された前記第２の手段は、フック状に曲げられた第１の上側固定端部（４）と、ピン（６）の周りに回転可能な第２の下側移動端部（５）とを備え、これらはそれぞれ、前記ベルト（１、２０、３０）の前記第２の部分の上側縁部及び下側縁部に留め付けられることを特徴とする、請求項１に記載のベルト（１、２０）又はストラップ。
【請求項７】
前記保持装置（３２）を前記ベルト（３０）の前記第２の部分に引っかけるように構成された前記第２の手段は、ピン（４３）の周りに回転可能な第２の下側移動端部（４２）を備え、これは、前記ベルト（３０）の前記第２の部分を囲むことを特徴とする、請求項１に記載のベルト（３０）又はストラップ。
【請求項８】
前記下側移動端部（５、４２）は、前記ピン（６、４３）を収容するために穴が開けられる部分であって、前記ピン（６、４３）の軸から同じ距離にある互いに垂直な第１及び第２の表面（５ａ、４２ａ）及び（５ｂ、４２ｂ）を有するように形作られている部分を備え、前記表面（５ａ、４２ａ）及び（５ｂ、４２ｂ）は、弾性要素（９、４４）の部分（９ａ、４４ａ）に結合され、それにより前記部分（９ａ、４４ａ）は、前記表面（５ａ、４２ａ）、（５ｂ、４２ｂ）のうちの一方又は他方を押して、前記下側移動端部（５、４２）をその閉位置又は開位置に保つことを特徴とする、請求項５又は６に記載のベルト（１、２０、３０）又はストラップ。
【請求項９】
前記弾性要素（９、４４）は、前記保持装置（３、３２）の適切な穴に挿入されるピン（１０、４５）により前記保持装置（３）の本体に付着した状態に保たれる小さいプレートであり、前記小さいプレート（９、４４）は、前記部分（９ａ、４４ａ）を形成するように平角状に曲げられることを特徴とする、請求項８に記載のベルト（１、２０、３０）又はストラップ。
【請求項１０】
バックル（３１）であって、前記バックル（３１）を前記ベルト（３０）の端部に接続するように構成された第１の手段と、前記ベルト（３０）の第２の部分に引っかかるように構成された第２の手段とを備えたバックル（３１）を備えることを特徴とする、請求項１に記載のベルト（３０）又はストラップ。
【請求項１１】
前記バックル（３１）を前記ベルト（３０）の端部に接続するように構成された前記第１の手段は、前記バックル（３１）の本体と一体のねじ切りされたピン（３９）にねじ込まれるねじ（３３）を備え、前記ねじ切りされたピン（３９）は、前記ベルト（３０）の前記端部に隣接して作られた穴に挿入されることを特徴とする、請求項１０に記載のベルト（３０）又はストラップ。
【請求項１２】
前記ベルト（３０）の前記第２の部分に引っかかるように構成された前記第２の手段は、フック状に曲げられた下側部分（３４）と、ピン（３６）の周りに回転可能な上側部分（３５）とを備え、これらはそれぞれ、前記ベルト（３０）の前記第２の部分の下側縁部及び上側縁部に留め付けられることを特徴とする、請求項１０に記載のベルト（３０）又はストラップ。
【請求項１３】
前記上側移動端部（３５）は、前記ピン（３６）を収容するために穴が開けられる部分であって、前記ピン（３６）の軸から同じ距離にある互いに垂直な第１及び第２の表面（３５ａ）及び（３５ｂ）を有するように形作られている部分を備え、前記表面（３５ａ）及び（３５ｂ）は、弾性要素（３７）の部分（３７ａ）に結合され、それにより前記部分（３７ａ）は、前記表面（３５ａ）、（３５ｂ）のうちの一方又は他方を押して、前記下側移動端部（３５）をその閉位置又は開位置に保つことを特徴とする、請求項１２に記載のベルト（３０）又はストラップ。
【請求項１４】
前記ベルト（１）の前記第２の部分に繊細に押し当てられる１つ又は複数のくちばし状部（１１、４０）を前記移動要素（５、３５）に有し、前記保持装置（３）及び前記バックル（３１）によって実行される留め付けを安定させることができ、圧力が、前記移動要素（５、３５）の前記第１の表面（５ａ、３５）を、その曲げ部分（９ａ、３７ａ）で押す前記弾性要素（９、３７）によって加えられることを特徴とする、請求項１から１０までのいずれか一項に記載のベルト（１、２０、３０）又はストラップ。
【請求項１５】
前記弾性要素（９、４４、３７）は、調和鋼から作られることを特徴とする、請求項８、９、１３、又は１４に記載のベルト（１、２０、３０）又はストラップ。
【発明の詳細な説明】
【技術分野】
【０００１】
本発明は、ベルト、ストラップ、又は同様の物品を着用している人の身体の周りにそれらを留め付けるように、特にそれらの自由端を留め付けるように構成された装置を備えるベルト、ストラップ、又は同様の物品について述べる。物品は、衣類用ベルト、靴用ストラップ、及び時計、コスチューム宝飾品、又は宝飾品ブレスレットのための革製品全般とすることができ、過剰な部分を留め付けることが必要なすべての事例に適用可能である。
【背景技術】
【０００２】
過剰な部分を留め付ける場合、先行技術によれば、貫通要素、すなわち押しつぶされた輪形状を有する要素を使用し、その要素がベルト又はストラップに挿入され、その要素の中にベルト又はストラップの自由端も通されることによって、問題が解決される。しかしこの解決策は、貫通要素が移動しがちなことから、不便である。実際に、貫通要素がバックルに向かって移動すると、それはもはやその機能を果たさず、その一方で、貫通要素が反対側に過剰に移動すると、ベルトの自由端が外れてしまうことがある。
【０００３】
より一層効果的な別の先行技術の解決策では、ベルト自体の下にベルトの自由端を通す特定のタイプのバックルが使用される。この解決策は技術的には有効であるが、ただし過剰な部分が特に短い場合に限られる。実際、そうでない場合には、この過剰な部分が上向き又は下向きにすべり、いずれの場合にも自由に外向きに振動する。しかし、過剰な部分が特に短い場合、したがってこの解決策が技術的には有効な場合にも、ベルトは衣類のうちの一物品であり、したがってファッション・クリエータの好みに影響されることを考慮しなくてはならない。言い換えれば、スタイリストが、自らの美的基準にそぐわない技術的に有効な解決策に興味を示すことはほとんどない。別の問題は、逆説的ではあるが、このタイプのバックルはベルトに損傷を与えることがほとんどなく、特に一般的なバックルに比べて与える損傷がはるかに少なく、その結果ベルトは長持ちし、これは市場にとってよくないことである。
【発明の概要】
【課題を解決するための手段】
【０００４】
本発明の目的は、上述した先行技術の問題を、請求項１において特許請求されるようなベルト又はストラップなどにより解決することであり、このベルト又はストラップなどは、その自由端を、それを着用している人の身体に付着した状態に保つように構成された手段を備えており、それらの特徴は、これらの手段が、ベルトを着用する人の身体に付着するベルト自体の部分にベルトの自由端を接続するように構成された、ベルトの穴に付けられる保持装置を備え、この保持装置が、それを着用する人の身体に付着するベルトの部分に引っかかるように構成された第１の手段と、ベルトの自由端に引っかかるように構成された第２の手段とを備えることである。
【０００５】
本発明の好ましい実施例及び重要な変形形態は、従属請求項の主題である。
【０００６】
含まれるすべての請求項は、本明細書の不可欠な部分であることが意図される。
【０００７】
含まれる請求項により表される本発明の範囲から逸脱することなく、（たとえば、同等の機能を有する形状、サイズ、構成、及びパーツに関して）様々な変形及び修正を、記載のものに加えてもよいことが、速やかに明らかになろう。
【０００８】
本発明は、含まれる図面を参照しながら非限定的な例として提供されるそのいくつかの好ましい実施例によって、よりよく説明されよう。
【図面の簡単な説明】
【０００９】
【図１】自由端の保持手段のないベルトを示す図である。
【図２】本発明による第１の保持手段を備えるベルトを示す図である。
【図３】本発明による第１の保持装置の斜視図である。
【図４】本発明による第１の保持装置の分解図である。
【図５】この第１の保持装置の３面図である。
【図６】この第１の保持装置の断面図である。
【図７】第１の保持装置の異なる使用法を示す図である。
【図８】特定のタイプのバックル及び本発明の第２の保持装置を備えるベルトを示す図である。
【図９】この特定のタイプのバックルの断面図である。
【図１０】この第２の保持装置の断面図である。
【発明を実施するための形態】
【００１０】
記載の実施例は衣類用ベルトについて述べており、したがって「それを着用する人の身体に付着する」というような文が使用される。他の用途（靴用ストラップ、時計用ストラップ）の場合には、上記の文は「自由端をベルト自体に留め付けること」を意図するものであり、こうした意味が特許請求の範囲に対しても意図される。
【００１１】
図１を参照すると、（１）は、バックル（２）を備えたベルトを指し、その自由端（１ａ）は、いかなる保持手段によっても保たれていない。明らかに示されるように、この自由端（１ａ）は、それを着用する人の身体に付着したベルトの部分（１ｂ）からは離れており、この部分（１ｂ）は、バックル（２）によってぴんと張った状態に保たれている。
【００１２】
図２は、同じバックル（２）を有する同じベルト（１）を示すが、第１の保持装置（３）によって自由端（１ａ）が定位置に保たれており、この第１の保持装置は、自由部分（１ａ）と、身体に付着するベルトの張った部分（１ｂ）との間に介在している。第１の保持装置（３）は、穴（１ｃ）のうちの最後の穴に隣接してベルト（１）に付けられており、身体に付着する張った部分（１ｂ）に引っかかるように構成された手段を備える。
【００１３】
図３は、第１の保持装置（３）の斜視図であり、図４は、装置（３）の分解図である。
【００１４】
図５は、本発明の第１の保持装置（３）を３面図で示す。この装置（３）は、ベルト（１）の張った部分（１ｂ）に引っかかるように構成された第１の手段と、ベルト（１）の自由部分（１ａ）に引っかかるように構成された第２の手段とを備える。
【００１５】
好ましい実施例によれば、ベルト（１）の張った部分（１ｂ）に引っかかるように構成されたこれらの第１の手段は、装置（３）のフック状に曲げられた上側固定端部（４）と下側移動端部（５）とを備え、これらはベルト（１）の張った部分（１ｂ）の上側と下側の縁部に留め付けられる。下側移動端部（５）は、ベルト（１）の部分（１ｂ）の下側縁部に留め付けられるように、ピン（６）の周りを回転して、フック状に曲げられた装置（３）の下側端部を構成する。
【００１６】
好ましい実施例によれば、ベルト（１）の自由部分（１ａ）に引っかかるように構成された第２の手段は、要素（８）にねじ込まれるねじ（７）を備え、この要素（８）が、好ましくはベルト（１）の自由部分（１ａ）の穴（１ｃ）のうちの最後の穴に挿入される。好ましい実施例によれば、要素（８）は、ねじ切りされたブラインド・ブッシュであり、フランジ（８ａ）を備え、ブッシュ（８）の円筒部分（８ｂ）が、ベルト（１）の穴（１ｃ）に挿入され、それによりこのベルト（１）が、フランジ（８ａ）とねじ（７）の間にブロックされる。
【００１７】
第１の保持装置（３）を断面で示す図６は、第１の保持装置（３）をベルト（１）に引っかけるための第１及び第２の手段を指し示す。さらに、図６（ａ、ｂ、ｃ）は、ベルト（１）の付着部分（１ｂ）から自由部分（１ａ）を分離するように下側部分（５）を開く様子を順番に示す。
【００１８】
下側移動端部（５）は、ピン（６）を収容するために穴が開けられる部分であって、ピン（６）の軸から同じ距離にある互いに垂直な第１及び第２の表面（５ａ）及び（５ｂ）を有するように形作られている部分を備える。表面（５ａ）及び（５ｂ）は、弾性要素（９）の部分（９ａ）に結合され、それにより、この部分（９ａ）が表面（５ａ）、（５ｂ）のうちの一方又は他方を押して、下側移動端部（５）を閉位置又は開位置に保つ。
【００１９】
好ましい実施例によれば、弾性要素（９）は、たとえば調和鋼（ｈａｒｍｏｎｉｃ  ｓｔｅｅｌ）から作られた小さいプレートであり、第１の保持装置（３）の適切な穴に挿入されるピン（１０）により第１の保持装置（３）の本体に付着した状態に保たれており、この小さいプレート（９）は、部分（９ａ）を形成するように平角状に曲げられる。
【００２０】
図６ａでは、第１の保持装置（３）の下側移動端部（５）は、閉位置、すなわちベルト（１）の付着部分（１ｂ）に引っかかるのに適した位置にある。この位置では、弾性要素（９）の曲げ部分（９ａ）は、要素（５）の第１の表面（５ａ）に押し当てられて、これをその閉位置に保つ。図６ｂでは、下側移動端部（５）が、ベルト（１）の自由端（１ａ）を付着部分（１ｂ）から拘束解除するように開かれ、このように開かれることは、矢印で示すように端部（５）を回転させることによって実行される。２つの表面（５ａ）及び（５ｂ）は垂直なので、端部（５）の回転により弾性要素（９）のゆがみが生じ、それによりその曲げ部分（９ａ）で第２の表面（５ｂ）が押されて（図６ｃ）、第１の保持装置（３）の移動端部（５）がその開位置に保たれる。
【００２１】
好ましい実施例によれば、移動端部（５）は、ベルト（１）の付着部分（１ｂ）に繊細に押し当てられる１対のくちばし状部（１１）を備え、第１の保持装置（３）によって実行される留め付けを安定させることができ、この圧力は、移動要素（５）の第１の表面（５ａ）を、その曲げ部分（９ａ）で押す弾性要素（９）によって加えられる。
【００２２】
記載の実施例では、第１の保持装置（３）は、フランジ付きのねじ切りブッシュ（８）にねじ込まれるねじ（７）によって、ベルトに留め付けられる。或いは、第１の保持装置（３）の平面部分に溶接されたねじ切りされたピンを使用して、その上にフランジ付きのねじ切りブッシュ（８）がねじ込まれてもよく、又はねじを使用して、このねじが、第１の保持装置（３）の一体部分である円筒形で内側にねじ切りされたブッシュにねじ込まれてもよい。
【００２３】
言い換えれば、ねじ（７）又はブッシュ（８）は、保持要素（３）の本体と一体に作ることができる。
【００２４】
図７は、ベルト（２０）の自由端（２０ａ）を、バックル（２１）によって引っ張られた部分（２０ｂ）の下に位置付けるタイプのバックル（２１）を備えるベルト（２０）を示す。この事例においても、図２に示したのと同様に、自由端（２０ａ）は第１の保持装置（３）によって正しい位置に保たれており、この第１の保持装置（３）は、自由部分（２０ａ）と、バックル（２１）によって引っ張られているベルトの部分（２０ｂ）との間に介在している。第１の保持装置（３）は、要素（８）にねじ込まれるねじ（７）によって留め付けられており、この要素（８）が、ベルト（２０）の張った部分（２０ｂ）の穴（２０ｃ）のうちの１つに挿入される。唯一の違いは、この事例では、装置（３）は張った部分（２０ｂ）に付けられており、自由部分（２０ａ）に留め付けられるが、図２に示す事例では、装置（３）はベルト（１）の自由部分（１ａ）に付けられており、ベルト（１）を着用する人の身体に付着する部分（１ｂ）に留め付けられるということである。
【００２５】
図８の（ａ）、（ｂ）は、バックル（３１）及び第２の保持装置（３２）を備えるベルト（３０）を示す。図８の（ａ）は、着用時の見え方のベルト（３０）であるが、ただし張った部分（３０ｂ）に自由部分（３０ａ）を止める前の状態を示し、図８の（ｂ）は、ねじ（３３）によってバックル（３１）が端部に接続されるベルト（３０）の内側部分を特に示す。
【００２６】
バックル（３１）は図９の（ａ）、（ｂ）、（ｃ）に示されており、フック状に曲げられた下側部分（３４）と、ピン（３６）の周りで回転可能な上側部分（３５）とを備える。
【００２７】
上側移動端部（３５）は、ピン（３６）を収容するために穴が開けられる部分であって、ピン（３６）の軸から同じ距離にある互いに垂直な第１及び第２の表面（３５ａ）及び（３５ｂ）を有するように形作られている部分を備える。表面（３５ａ）及び（３５ｂ）は、弾性要素（３７）の部分（３７ａ）に結合され、それにより、この部分（３７ａ）が表面（３５ａ）、（３５ｂ）のうちの一方又は他方を押して、上側移動端部（３５）をその閉位置又は開位置に保つ。
【００２８】
バックル（３１）の平面部分（３８）には、穴の開いた内側にねじ切りされたピン（３９）があり、この中にねじ（３３）がねじ込まれ、これにより、ベルト（３０）の端部に開けられた穴（図示せず）にバックル（３１）のピン（３９）を通した後に、バックル（３１）がベルト（３０）に留め付けられる。
【００２９】
図９の（ａ）、（ｂ）、（ｃ）は、ウエスト周りでベルトを調節した後に、ベルト（３０）をブロックするために上側部分（３５）を閉じる様子を順番に示しており、このブロックすることは、上側移動部分（３５）にあるいくつかのくちばし状部（４０）によって可能になる。
【００３０】
図１０の（ａ）、（ｂ）、（ｃ）は、第２の保持装置（３２）を示す。第１の保持装置（３）と同様に、第２の保持要素（３２）は、フック状に曲げられた上側部分（４１）と、ピン（４３）の周りに回転可能で、弾性手段（４４）によって制御される下側部分（４２）とを備える。第２の保持装置（３２）は、ねじ（４５）によってベルト（３０）に接続され、このねじ（４５）が、フランジ（４６ａ）を備えるねじ切りされたブラインド・ブッシュ（４６）にねじ込まれ、これがベルト（３０）の自由部分（３０ａ）に作られた穴（３０ｃ）に、円筒形部分（４６ｂ）で挿入される。第２の保持装置（３２）をベルト（３０）の自由部分（３０ａ）に付けることにより、移動要素（４２）は、ベルト（３０）の自由部分（３０ａ）をベルト（３０）の張った部分（３０ｂ）に正しく付着できるようになる。
【００３１】
明らかに、第１（３）と第２（３２）の保持装置の両方は、バックル（３１）に加えて、人の独自の美的感覚に応じて両方の可能な方向に沿って区別なく組み付けられることが可能になる。特許請求の範囲は、いずれにしても本明細書において使用された用語を維持する。
【図１】
2020528326.tif 000003
【図２】
2020528326.tif 000004
【図３】
2020528326.tif 000005
【図４】
2020528326.tif 000006
【図５】
2020528326.tif 000007
【図６】
2020528326.tif 000008
【図７】
2020528326.tif 000009
【図８（ａ）】
2020528326.tif 000010
【図８（ｂ）】
2020528326.tif 000011
【図９】
2020528326.tif 000012
【図１０】
2020528326.tif 000013
【手続補正書】
【提出日】令和2年3月24日(2020.3.24)
【手続補正１】
【補正対象書類名】特許請求の範囲
【補正対象項目名】全文
【補正方法】変更
【補正の内容】
【特許請求の範囲】
【請求項１】
ベルト（１、２０、３０）又はストラップであって、前記ベルト（１、２０、３０）又はストラップの自由端（１ａ、２０ａ、３０ａ）を、前記ベルト又はストラップを着用する人の身体に付着した状態に保つように構成された手段を備え、
前記手段は、バックル（２、２１、３１）によって引っ張られた前記ベルト（１、２０、３０）の部分（１ｂ、２０ｂ、３０ｂ）に、前記自由端（１ａ、２０ａ、３０ａ）を引っかけるように構成された保持装置（３、３２）を備え、前記保持装置（３、３２）は、
前記保持装置（３、３２）を前記ベルト（１、２０、３０）の第１の部分に接続するように構成された第１の手段と、
前記保持装置（３、３２）を前記ベルト（１、２０、３０）の第２の部分に引っかけるように構成された第２の手段と
を備え、
前記保持装置（３）を前記ベルト（１、２０）の前記第２の部分に引っかけるように構成された前記第２の手段は、フック状に曲げられた第１の上側固定端部（４）と、ピン（６）の周りに回転可能な第２の下側移動端部（５）とを備え、これらはそれぞれ、前記ベルト（１、２０、３０）の前記第２の部分の上側縁部及び下側縁部に留め付けられることを特徴とする、ベルト（１、２０、３０）又はストラップ。
【請求項２】
前記保持装置（３、３２）を前記ベルト（１、２０、３０）の前記第１の部分に接続するように構成された前記第１の手段は、要素（８、４６）にねじ込まれるねじ（７、４５）を備え、前記要素（８、４６）は、前記ベルト（１、２０、３０）の前記第１の部分の穴（１ｃ、２０ｃ、３０ｃ）のうちの１つに挿入されることを特徴とする、請求項１に記載のベルト（１、２０、３０）又はストラップ。
【請求項３】
前記保持装置（３２）を前記ベルト（３０）の前記第１の部分に接続するように構成された前記第１の手段は、前記ベルト（３０）の前記第１の部分の上側縁部に留め付けられるフック状に曲げられた第１の上側固定端部（４）をさらに備えることを特徴とする、請求項１に記載のベルト（３０）又はストラップ。
【請求項４】
前記要素（８、４６）は、ねじ切りされたブラインド・ブッシュであり、フランジ（８ａ、４６ａ）を備えており、これは、その円筒部分（８ｂ、４６ｂ）で、前記ベルト（１）の前記穴（１ｃ、２０ｃ、３０ｃ）に挿入され、前記ベルト（１、２０、３０）の前記第１の部分は、前記フランジ（８ａ、４６ａ）と前記ねじ（７、４５）との間にブロックされた状態で残ることを特徴とする、請求項２に記載のベルト（１、２０、３０）又はストラップ。
【請求項５】
前記ねじ（７、４５）又は前記ブッシュ（８、４６）は、前記保持要素（３、３２）の本体と一体であることを特徴とする、請求項２又は３に記載のベルト（１、２０、３０）又はストラップ。
【請求項６】
前記保持装置（３２）を前記ベルト（３０）の前記第２の部分に引っかけるように構成された前記第２の手段は、ピン（４３）の周りに回転可能な第２の下側移動端部（４２）を備え、これは、前記ベルト（３０）の前記第２の部分を囲むことを特徴とする、請求項１に記載のベルト（３０）又はストラップ。
【請求項７】
前記下側移動端部（５、４２）は、前記ピン（６、４３）を収容するために穴が開けられる部分であって、前記ピン（６、４３）の軸から同じ距離にある互いに垂直な第１及び第２の表面（５ａ、４２ａ）及び（５ｂ、４２ｂ）を有するように形作られている部分を備え、前記表面（５ａ、４２ａ）及び（５ｂ、４２ｂ）は、弾性要素（９、４４）の部分（９ａ、４４ａ）に結合され、それにより前記部分（９ａ、４４ａ）は、前記表面（５ａ、４２ａ）、（５ｂ、４２ｂ）のうちの一方又は他方を押して、前記下側移動端部（５、４２）をその閉位置又は開位置に保つことを特徴とする、請求項１に記載のベルト（１、２０、３０）又はストラップ。
【請求項８】
前記弾性要素（９、４４）は、前記保持装置（３、３２）の適切な穴に挿入されるピン（１０、４５）により前記保持装置（３）の本体に付着した状態に保たれる小さいプレートであり、前記小さいプレート（９、４４）は、前記部分（９ａ、４４ａ）を形成するように平角状に曲げられることを特徴とする、請求項７に記載のベルト（１、２０、３０）又はストラップ。
【請求項９】
バックル（３１）であって、前記バックル（３１）を前記ベルト（３０）の端部に接続するように構成された第１の手段と、前記ベルト（３０）の第２の部分に引っかかるように構成された第２の手段とを備えたバックル（３１）を備えることを特徴とする、請求項１に記載のベルト（３０）又はストラップ。
【請求項１０】
前記バックル（３１）を前記ベルト（３０）の端部に接続するように構成された前記第１の手段は、前記バックル（３１）の本体と一体のねじ切りされたピン（３９）にねじ込まれるねじ（３３）を備え、前記ねじ切りされたピン（３９）は、前記ベルト（３０）の前記端部に隣接して作られた穴に挿入されることを特徴とする、請求項９に記載のベルト（３０）又はストラップ。
【請求項１１】
前記ベルト（３０）の前記第２の部分に引っかかるように構成された前記第２の手段は、フック状に曲げられた下側部分（３４）と、ピン（３６）の周りに回転可能な上側部分（３５）とを備え、これらはそれぞれ、前記ベルト（３０）の前記第２の部分の下側縁部及び上側縁部に留め付けられることを特徴とする、請求項９に記載のベルト（３０）又はストラップ。
【請求項１２】
前記上側移動端部（３５）は、前記ピン（３６）を収容するために穴が開けられる部分であって、前記ピン（３６）の軸から同じ距離にある互いに垂直な第１及び第２の表面（３５ａ）及び（３５ｂ）を有するように形作られている部分を備え、前記表面（３５ａ）及び（３５ｂ）は、弾性要素（３７）の部分（３７ａ）に結合され、それにより前記部分（３７ａ）は、前記表面（３５ａ）、（３５ｂ）のうちの一方又は他方を押して、前記下側移動端部（３５）をその閉位置又は開位置に保つことを特徴とする、請求項１１に記載のベルト（３０）又はストラップ。
【請求項１３】
前記ベルト（１）の前記第２の部分に繊細に押し当てられる１つ又は複数のくちばし状部（１１、４０）を前記移動要素（５、３５）に有し、前記保持装置（３）及び前記バックル（３１）によって実行される留め付けを安定させることができ、圧力が、前記移動要素（５、３５）の前記第１の表面（５ａ、３５）を、その曲げ部分（９ａ、３７ａ）で押す前記弾性要素（９、３７）によって加えられることを特徴とする、請求項１２に記載のベルト（１、２０、３０）又はストラップ。
【請求項１４】
前記弾性要素（９、４４、３７）は、調和鋼から作られることを特徴とする、請求項７、８、１２、又は１３に記載のベルト（１、２０、３０）又はストラップ。
【国際調査報告】
2020528326.tif 000014
2020528326.tif 000015